(57)【要約】  本出願は、位相診断方法及び位相診断装置を開示している。  エンジンの位置が有効であるとチェックした場合、燃料噴射器は、圧縮上死点位置で噴射し、噴射した後、加速度を検出していないと、故障が出現したことを示し、カムシャフトの位相が１８０°ずれたことによる故障であるかどうかを検査するために、燃料噴射器が排気上死点位置に噴射するとともに、加速度があるかどうかを検出し、加速度を検出した場合、カムシャフトの位相が１８０°ずれたという状況が存在することを示す。このように、従来技術において、カムシャフトの位相が１８０°ずれた場合、位相のずれを検出できないという問題を解決する。
2021529911.tif 000002
【特許請求の範囲】
【請求項１】
エンジンの位置が有効であると検出した場合、燃料噴射器が圧縮上死点位置で噴射するステップと、
加速度を検出したかどうかを判定するステップと、
前記加速度を検出していないと前記燃料噴射器が排気上死点位置に噴射するステップと、
前記加速度を検出したかどうかを判定するステップと、
前記加速度を検出した場合、カムシャフトの位相が１８０°ずれたことを示すステップとを有していることを特徴とする位相診断方法。
【請求項２】
前記エンジンの位置が有効であるかどうかを判定するステップが、
クランクシャフト位置センサーのクランクシャフト信号とカムシャフト位置センサーのカムシャフト信号とを採集するステップと、
前記クランクシャフト信号及び前記カムシャフト信号に応じて、前記エンジンの位置が有効であるかどうかを判定するステップとを有していることを特徴とする請求項１に記載の位相診断方法。
【請求項３】
カムシャフトの位相が１８０°ずれたと検出した場合、警報を出すステップを有していることを特徴とする請求項１に記載の位相診断方法。
【請求項４】
前記燃料噴射器が前記排気上死点位置に噴射して前記加速度を検出したかどうかを判定することは、
前記燃料噴射器が排気上死点位置に噴射するステップと、
前記加速度を検出したかどうかを判定するステップと、
前記加速度を検出していないと、所定の噴射回数に達したかどうかを判定するステップと、
所定の噴射回数に達していないと、前記燃料噴射器が前記排気上死点位置に噴射するステップに戻るステップと、
前記加速度を検出した、または、前記燃料噴射器が所定の噴射回数に達した場合、噴射を終了させるステップとを有していることを特徴とする請求項１に記載の位相診断方法。
【請求項５】
所定の検出条件が、水温が所定の水温条件に合うかどうか、及び、吸気圧力が所定の吸気圧力条件に合うかどうかということを有していることを特徴とする請求項１に記載の位相診断方法。
【請求項６】
エンジンの位置が有効であると検出した場合、燃料噴射器が圧縮上死点位置で噴射するための第１噴射手段と、
加速度を検出したかどうかを判定するための第１判定手段と、
前記加速度を検出していないと前記燃料噴射器が排気上死点位置に噴射するとともに、前記加速度を検出したかどうかを判定するための第２噴射及び判定手段と、
前記加速度を検出した場合、カムシャフトの位相が１８０°ずれたことを示すためのずれ確定手段とを備えていることを特徴とする位相診断装置。
【請求項７】
クランクシャフト位置センサーのクランクシャフト信号とカムシャフト位置センサーのカムシャフト信号とを採集するための採集手段と、
前記クランクシャフト信号及びカムシャフト信号に応じて、エンジンの位置が有効であるかどうかを判定するための第１判定サブ手段とを、備えていることを特徴とする請求項６に記載の位相診断装置。
【請求項８】
前記カムシャフトの位相が１８０°ずれたと検出した場合、警報を出すための警報手段を備えていることを特徴とする請求項６に記載の位相診断装置。
【請求項９】
前記第２噴射及び判定手段が、
前記燃料噴射器が前記排気上死点位置に噴射するための第２噴射サブ手段と、
前記加速度を検出したかどうかを判定するための第２判定サブ手段と、
前記加速度を検出していないと所定の噴射回数に達したかどうかを判定するための第３判定サブ手段と、
所定の噴射回数に達していないと、前記燃料噴射器が前記排気上死点位置に噴射するステップに戻るための実行戻り手段と
前記加速度を検出した、または、前記燃料噴射器が所定の噴射回数に達した場合、噴射を終了させるための噴射終了手段とを備えていることを特徴とする請求項６に記載の位相診断装置。
【請求項１０】
前記所定の検出条件は、水温が所定の水温条件に合うかどうか、及び、吸気圧力が所定の吸気圧力条件に合うかどうかということを有していることを特徴とする請求項６に記載の位相診断装置。
【発明の詳細な説明】
【技術分野】
【０００１】
本発明は、故障診断分野、特に、位相診断方法及び位相診断装置に関わる。
【背景技術】
【０００２】
カムシャフトは、ピストンエンジンのうちの１つの重要な部材であり、その作用は、バルブの開放及び閉塞に対する制御である。
【発明の概要】
【発明が解決しようとする課題】
【０００３】
ただし、カムシャフトの位相が１８０°ずれた場合、例えば、カムシャフトのシグナルプレートが１８０°ずれるように装着され、または、カムシャフトのシグナルプレートが正常に装着されるが、カムシャフトの角度キャリブレーションが１８０°ずれたことは、いずれもカムシャフトの位相のずれを招致し、これは、エンジンの異常につながる。
【０００４】
しかしながら、従来技術において、カムシャフトの位相が１８０°ずれることは、検出されることができない。
【０００５】
これに鑑みると、本発明は、従来技術において、カムシャフトの位相が１８０°ずれた場合、位相のずれを検出できないという問題を解決するための位相診断方法及び位相診断装置を開示する。
【課題を解決するための手段】
【０００６】
本発明は、エンジンの位置が有効であると検出した場合に燃料噴射器が圧縮上死点位置で噴射するステップと、加速度を検出したかどうかを判定するステップと、加速度を検出していない場合に燃料噴射器が排気上死点位置に噴射するステップと、加速度を検出したかどうかを判定するステップと、加速度を検出した場合にカムシャフトの位相が１８０°ずれたことを示すステップと、を有していることを特徴とする位相診断方法である。
【０００７】
さらに、エンジンの位置が有効であるかどうかを判定するステップを有しており、
エンジンの位置が有効であるかどうかを判定するステップは、クランクシャフト位置センサーのクランクシャフト信号とカムシャフト位置センサーのカムシャフト信号とを採集するステップと、前記クランクシャフト信号及びカムシャフト信号に応じてエンジンの位置が有効であるかどうかを判定するステップとを有している。
【０００８】
さらに、カムシャフトの位相が１８０°ずれたと検出した場合に警報を出すステップを有している。
【０００９】
好ましくは、前記燃料噴射器が排気上死点位置に噴射し、加速度を検出したかどうかを判定するために、燃料噴射器が排気上死点位置に噴射するステップと、加速度を検出したかどうかを判定するステップと、加速度を検出していない場合に所定の噴射回数に達したかどうかを判定するステップと、所定の噴射回数に達していない場合に燃料噴射器が排気上死点位置に噴射するステップに戻るステップと、加速度を検出した、または、燃料噴射器が所定の噴射回数に達した場合に噴射を終了させるステップと、を有している。
【００１０】
所定の検出条件は、水温が所定の水温条件に合うかどうか、吸気圧力が所定の吸気圧力条件に合うかどうかということを有している。
【００１１】
さらに、本発明の実施例は、位相診断装置を開示し、エンジンの位置が有効であると検出した場合に燃料噴射器が圧縮上死点位置で噴射するための第１噴射手段と、加速度を検出したかどうかを判定するための第１判定手段と、加速度を検出していない場合に燃料噴射器が排気上死点位置に噴射するとともに加速度を検出したかどうかを判定するための第２噴射及判定手段と、加速度を検出した場合にカムシャフトの位相が１８０°ずれたことを示すためのずれ確定手段とを備えている。
【００１２】
さらに、クランクシャフト位置センサーのクランクシャフト信号とカムシャフト位置センサーのカムシャフト信号とを採集するための採集手段と、前記クランクシャフト信号及びカムシャフト信号に応じてエンジン位置が有効であるかどうかを判定するための第１判定サブ手段とを備えている。
【００１３】
さらに、カムシャフトの位相が１８０°ずれたと検出した場合に警報を出すための警報手段を備している。
【００１４】
前記第２噴射及判定手段は、燃料噴射器が排気上死点位置に噴射するための第２噴射サブ手段と、加速度を検出したかどうかを判定するための第２判定サブ手段と、加速度を検出していない場合に所定の噴射回数に達したかどうかを判定するための第３判定サブ手段と、所定の噴射回数に達していないと燃料噴射器が排気上死点位置に噴射するステップに戻るための実行戻り手段と、加速度を検出した、または、燃料噴射器が所定の噴射回数に達した場合、噴射を終了させるための噴射終了手段と、を備している。
【００１５】
前記所定の検出条件は、水温が所定の水温条件に合うかどうか、及び、吸気圧力が所定の吸気圧力条件に合うかどうかということを有している。
【００１６】
本発明の実施例は、位相診断方法及び位相診断装置を開示し、エンジン位置が有効であるとチェックした場合、燃料噴射器が圧縮上死点位置で噴射し、噴射した後、加速度を検出していないと、故障が出現したことを示し、カムシャフトの位相が１８０°ずれたことによる故障であるかどうかを検査するために、燃料噴射器が排気上死点位置に噴射するとともに、加速度があるかどうかを検出し、加速度を検出した場合、カムシャフトの位相が１８０°ずれたという状況が存在することを示す。
このように、従来技術において、カムシャフトの位相が１８０°ずれた場合に位相のずれを検出できないという問題を解決する。
【図面の簡単な説明】
【００１７】
本発明の実施例または従来技術を説明するために、実施例または従来技術の図面を紹介し、以下の図面は、本発明の実施例のみであり、当業者にとって、進歩性に値する労働をしない前提で他の図面を取得することができる。
【図１】本発明の実施例である位相診断方法を示すフロー模式図。
【図２】本発明の実施例である位相診断方法の他を示すフロー模式図。
【図３】本発明の実施例である位相診断装置を示す構成模式図。
【発明を実施するための形態】
【００１８】
以下の本発明を記載した実施例は、本発明の一部の実施例のみである。
本発明の実施例に基づき、当業者は進歩性に値する労働をしない前提で、取得した他の全ての実施例は、いずれも本発明の保護範囲に属している。
【００１９】
図１は、本発明の実施例である位相診断方法のフロー模式図を示し、この位相診断方法は、以下のステップを有し、
Ｓ１０１：エンジンの位置が有効であると検出した場合、燃料噴射器は、圧縮上死点位置で噴射する；
エンジンに対する制御について、エンジンの機械位置を見つけることで、ピストンの上死点位置を確定し、正確な燃料噴射を行うことを重点とする。
本実施例において、クランクシャフト位置センサー及びカムシャフト位置センサーにより採集されたクランクシャフト信号とカムシャフト信号を介して、エンジンの位置を確定する。
【００２０】
クランクシャフト位置センサーにより検出されたクランクシャフト信号を介して、エンジンの回動位置を確定し、カムシャフト位置センサーにより検出されたカムシャフト位置信号を介して、エンジンの圧縮上死点位置及び排気上死点位置を確定する。
これらの位置は、いずれも有効になった後、エンジンの位置が有効であることを示し、そうすれば、圧縮上死点位置で燃料噴射を行うことができる。
【００２１】
Ｓ１０２：加速度を検出したかどうかを判定する；
本実施例において、燃料噴射器が噴射した後、正常の場合、エンジンに加速度が生じる。
加速度が生じていないと、エンジンに故障が出現したことを示す。
ただし、燃料噴射器が噴射した後、加速度が生じていないことを招致する故障が多いが、一般的に、当業者は、カムシャフトの位相が１８０°ずれたという状況を見逃す（即ち、検出されたカムシャフトの位相が１８０°ずれた）。
【００２２】
従来技術においても、検出されたカムシャフトの位相が１８０°ずれたという状況を検証できない。
【００２３】
前記問題を解決するために、以下のステップは、カムシャフトの位相が１８０ずれたことによる問題であるかどうかを検証する。
【００２４】
Ｓ１０３：加速度を検出していないと、燃料噴射器は、排気上死点位置に噴射する；
検出されたカムシャフトの位相が１８０°ずれたと、確定されたエンジンの圧縮上死点位置と排気上死点位置とが反対になり、つまり、検出された圧縮上死点位置は、実際に、排気上死点位置であり、検出された排気上死点位置は、圧縮上死点位置である。
【００２５】
ただし、従来技術において、エンジンの位置が有効であるかどうかを検出する場合、つまり、クランクシャフトの位相とカムシャフトの位相とを検出する場合、カムシャフトシグナルプレートが１８０°間違って装着されると、クランクシャフトに対してカムシャフトの位相が３６０°偏向する。
シグナルプレートが逆に装着されていない場合、取得した、クランクシャフトの検出点での位相角度がａであれば、カムシャフトの検出点での位相角度がｂであり、カムシャフトのシグナルプレートが１８０°逆に装着された場合、クランクシャフトが３６０°の角度だけ回動し、カムシャフトが１８０°の角度だけ回動し、検出点に達した場合、検出されたクランクシャフトの位相が相変わらずａであり、カムシャフトの位相が相変わらずｂである。
つまり、従来技術において、カムシャフトシグナルプレートが１８０°逆に装着され、または、位相が１８０°較正される場合である。
【００２６】
本実施例において、カムシャフトが１８０°ずれたという問題のためであるかどうかを検出するために、燃料噴射器が圧縮上死点位置に噴射した後、加速度が生じることができないと、圧縮上死点位置の逆位置である排気上死点位置に噴射する。
【００２７】
Ｓ１０４：加速度を検出したかどうかを判定する；
Ｓ１０５：加速度を検出した場合、カムシャフトの位相が１８０°ずれたことを示す。
【００２８】
本実施例において、燃料噴射器は、排気上死点位置に噴射した後、加速度を検出していないと、カムシャフトの位相が１８０°ずれたことによる故障ではなく、加速度を検出した場合、カムシャフトの位相が１８０°ずれたことを示す。
【００２９】
本実施例において、エンジンの位置が有効であるとチェックした場合、燃料噴射器は、圧縮上死点位置で噴射し、噴射した後、加速度を検出していないと、故障が出現したことを示し、カムシャフトの位相が１８０°ずれたことによる故障であるかどうかを検査するために、燃料噴射器は、排気上死点位置に噴射するとともに、加速度があるかどうかを検出し、加速度を検出した場合、カムシャフトの位相が１８０°ずれたという状況が存在することを示す。
このように、従来技術において、カムシャフトの位相が１８０°ずれた場合、位相のずれを検出することができないという問題を解決する。
【００３０】
図２は、本発明の実施例である位相診断方法の他のフロー模式図であり、この位相診断方法は、
カムシャフトの位相が１８０°ずれたかどうかを検出する場合、検出の有効性を向上するために、噴射回数を設定してもよく、例えば、回数は少なくとも１回であってもよく、具体的に、当業者が実際状況に応じて設定すればよい。
具体的に、以下のステップを有し、
Ｓ２０１：エンジンの位置が有効であると検出した場合、燃料噴射器は、圧縮上死点位置で噴射する；
Ｓ２０２：加速度を検出したかどうかを判定する；
Ｓ２０３：加速度を検出していないと、燃料噴射器は、排気上死点位置に噴射する；
Ｓ２０４：加速度を検出したかどうかを判定する；
Ｓ２０５：加速度を検出していないと、所定の噴射回数に達したかどうかを判定する；
Ｓ２０６：所定の噴射回数に達していないと、燃料噴射器が再び前記排気上死点位置に噴射するとともに、加速度を検出したかどうかを判定するステップに戻る；
Ｓ２０６：加速度を検出した、または、燃料噴射器が所定の噴射回数に達した場合、噴射を終了させる。
【００３１】
本実施例において、エンジンの位置が有効であるとチェックした場合、燃料噴射器は、圧縮上死点位置で噴射し、噴射した後、加速度を検出していないと、故障が出現したことを示し、カムシャフトの位相が１８０°ずれたことによる故障であるかどうかを検査するために、燃料噴射器は、排気上死点位置に噴射するとともに、加速度があるかどうかを検出し、加速度を検出した場合、カムシャフトの位相が１８０°ずれたという状況が存在することを示す。
このように、従来技術において、カムシャフトの位相が１８０°ずれた場合、位相のずれを検出できないという問題を解決する。
【００３２】
図３は、本発明の実施例である位相診断装置の構成模式図を示し、この位相診断装置は、エンジンの位置が有効であると検出した場合に燃料噴射器が圧縮上死点位置で噴射するための第１噴射手段３０１と、加速度を検出したかどうかを判定するための第１判定手段３０２と、加速度を検出していない場合に燃料噴射器が排気上死点位置に噴射するための第２噴射手段３０３と、加速度を検出したかどうかを判定するための第２判定手段３０４と、加速度を検出した場合にカムシャフトの位相が１８０°ずれたことを示すためのずれ確定手段３０５とを備えている。
【００３３】
さらに、クランクシャフト位置センサーのクランクシャフト信号とカムシャフト位置センサーのカムシャフト信号とを採集するための採集手段と、前記クランクシャフト信号及びカムシャフト信号に応じてエンジンの位置が有効であるかどうかを判定するための第１判定サブ手段と、を備えている。
【００３４】
さらに、カムシャフトの位相が１８０°ずれたと検出した場合、警報を出すための警報手段を備えている。
【００３５】
前記第２判定手段は、燃料噴射器が初めて排気上死点位置に噴射した後に加速度を検出したかどうかを判定するための第２判定サブ手段と、加速度を検出していない場合に所定の噴射回数に達したかどうかを判定するための第３判定サブ手段と、所定の噴射回数に達していない場合に燃料噴射器が再び前記排気上死点位置に噴射するとともに加速度を検出したかどうかを判定するステップに戻るための実行戻り手段と、加速度を検出した、または、燃料噴射器が所定の噴射回数に達した場合、噴射を終了させるための噴射終了手段とを備えている。
【００３６】
前記所定の検出条件は、水温が所定の水温条件に合うかどうか、及び、吸気圧力が所定の吸気圧力条件に合うかどうかということを有している。
【００３７】
本実施例の位相診断装置によれば、エンジンの位置が有効であるとチェックした場合、燃料噴射器は、圧縮上死点位置で噴射し、噴射した後、加速度を検出していないと、故障が出現したことを示し、カムシャフトの位相が１８０°ずれたことによる故障であるかどうかを検査するために、燃料噴射器が排気上死点位置に噴射するとともに、加速度があるかどうかを検出し、加速度を検出した場合、カムシャフトの位相が１８０°ずれたという状況が存在することを示す。
このように、従来技術においてカムシャフトの位相が１８０°ずれた場合に位相のずれを検出できないという問題を解決する。
【００３８】
各実施例は、他の実施例との相違点を主に説明し、各実施例の同様または類似の部分について、互いに参照すればよい。
【００３９】
開示した実施例の説明により、当業者は、本発明を利用または実現することができる。
これらの実施例に対する多種の補正は、当業者にとって自明であり、本明細書により定義された一般的な原理は、本発明の精神または範囲から逸脱しない場合、他の実施例で実現することができる。
従って、本発明は、本明細書の実施例に限定されず、本明細書が開示した原理及び新規特点と一致する、最も広い範囲に合う。
【図１】
2021529911.tif 000003
【図２】
2021529911.tif 000004
【図３】
2021529911.tif 000005
【国際調査報告】
2021529911.tif 000006
2021529911.tif 000007
2021529911.tif 000008
2021529911.tif 000009